(57)【要約】【課題】短時間で容易にネットワーク通信システムの故障箇所を特定可能な伝送装置等を実現することを目的とする。【解決手段】通信回線を介した光通信の通信状態を監視する回線監視部１１１と、回線監視部が通信状態に異常を検出した場合に、伝送装置の光通信を停止させる監視制御部１１４と、通信回線に障害が発生しているか否かの自己診断をする回線試験部１２０と、回線試験部が行なう自己診断の結果を伝送装置１００と接続されるネットワーク監視装置３００に送信する送信部とを備える伝送装置とする。【選択図】図１
2009253475.tif 000002
【特許請求の範囲】
【請求項１】
通信回線を介した光通信の通信状態を監視する回線監視部と、
前記回線監視部が前記通信状態に異常を検出した場合に、
前記光通信を停止させる監視制御部と、
前記通信回線に障害が発生しているか否かの自己診断をする回線試験部と、
前記回線試験部が行なう前記自己診断の結果をネットワーク監視装置に送信する送信部と、を備える
ことを特徴とする伝送装置。
【請求項２】
請求項１に記載の伝送装置において、
前記回線監視部は、前記通信回線を介する入力光強度または出力光強度を測定する光パワー測定部と、前記光通信のエラー率を算出するエラー率演算部と、を備え、
前記伝送装置は、前記回線監視部が前記光通信の通信状態を監視した監視情報を記憶する監視情報記憶部を備え、
前記回線監視部が前記通信状態に異常を検出した場合に、
前記監視制御部が、前記伝送装置の前記光通信を停止させ、
前記回線試験部が、前記伝送装置の通信回線に障害が発生しているか否かの自己診断を行い、
前記送信部が、前記監視情報記憶部が記憶する前記監視情報と、前記自己診断の結果と、を前記ネットワーク監視装置に送信する
ことを特徴とする伝送装置。
【請求項３】
請求項１または請求項２に記載の伝送装置から送信された前記自己診断の結果を受信するネットワーク監視装置において、
受信した前記自己診断の結果に基づき故障箇所を推定する故障箇所推定部と、
前記故障箇所推定部が推定した前記故障箇所に対応する故障解決方法を予め記憶する故障解決方法記憶部と、
前記故障箇所推定部が推定した前記故障箇所と、前記故障解決方法記憶部が記憶する前記故障箇所に対応する前記故障解決方法と、を表示する表示部と
を備えることを特徴とするネットワーク監視装置。
【請求項４】
請求項３に記載するネットワーク監視装置において、
前記伝送装置に前記自己診断を実施させる指示が入力される指示入力部を備え、
前記表示部は、前記伝送装置の前記回線監視部が前記通信状態に異常を検出したことを表示する表示部である
ことを特徴とするネットワーク監視装置。
【請求項５】
複数の請求項２に記載の伝送装置と、請求項４に記載のネットワーク監視装置と、を備えるネットワーク通信システムにおいて、
前記回線試験部は、前記複数の伝送装置間の通信回線について、障害が発生しているか否かの装置間回線試験をし、
前記送信部は、前記監視情報記憶部が記憶する前記監視情報と、前記自己診断の結果と、前記装置間回線試験の結果と、を前記ネットワーク監視装置に送信する
ことを特徴とするネットワーク通信システム。
【請求項６】
請求項５に記載のネットワーク通信システムにおいて、
第一の伝送装置と第二の伝送装置とを備え、
前記第一の伝送装置の第一の回線試験部と前記第二の伝送装置の第二の回線試験部とが、
前記第一の伝送装置から前記第二の伝送装置を経由して前記第一の伝送装置に戻る通信回線について障害が発生しているか否かの装置間回線試験であるループ試験と、
前記第一の伝送装置から前記第二の伝送装置への通信回線と、及び前記第二の伝送装置から前記第一の伝送装置への通信回線と、の各々の通信回線について障害が発生しているか否かの装置間回線試験であるワンウェイ試験と、を行なう
ことを特徴とするネットワーク通信システム。
【請求項７】
請求項２に記載の伝送装置において、
前記回線監視部は、前記通信回線を介する入力光強度を測定する光パワー測定部と、
前記入力光強度の閾値を記憶する閾値記憶部と、
前記閾値記憶部に記憶される前記入力光強度の閾値と前記光パワー測定部で測定する前記入力光強度とを比較する比較部と、を備え、
前記回線監視部は、前記比較部での比較結果により、前記光パワー測定部で測定する前記入力光強度が、前記閾値より小さい場合に異常を検出したと判断する
ことを特徴とする伝送装置。
【請求項８】
請求項２又は請求項７に記載の伝送装置において、
前記回線監視部は、前記通信回線を介する出力光強度を測定する光パワー測定部と、
前記出力光強度の閾値を記憶する閾値記憶部と、
前記閾値記憶部に記憶される前記出力光強度の閾値と前記光パワー測定部で測定する前記出力光強度とを比較する比較部と、を備え、
前記回線監視部は、前記比較部での比較結果により、前記光パワー測定部で測定する前記出力光強度が、前記閾値より小さい場合に異常を検出したと判断する
ことを特徴とする伝送装置。
【請求項９】
請求項７又は請求項８に記載の記載の伝送装置において、
前記回線監視部は、前記エラー率の閾値を記憶する閾値記憶部と、
前記閾値記憶部に記憶される前記エラー率の閾値と、前記エラー率演算部で算出するエラー率と、を比較する比較部と、を備え、
前記回線監視部は、前記比較部での比較結果により、前記エラー率演算部で算出するエラー率が前記閾値より大きい場合に異常を検出したと判断する
ことを特徴とする伝送装置。
【請求項１０】
通信回線を介した光通信の伝送をし、通信状態を監視する回線監視部を備える伝送装置の故障診断方法において、
前記回線監視部が前記通信状態に異常を検出した場合に、
前記伝送装置が前記光通信を停止させる工程と、
前記通信回線に障害が発生しているか否かの自己診断をする工程と、
前記自己診断の結果を前記伝送装置と接続されるネットワーク監視装置に送信する工程と、を有する
ことを特徴とする伝送装置の故障診断方法。
【請求項１１】
請求項１０に記載の伝送装置の故障診断方法において、
前記回線監視部は、前記通信回線を介する入力光強度または出力光強度を測定する光パワー測定部と、前記光通信のエラー率を算出するエラー率演算部と、を備え、
前記伝送装置は、前記回線監視部が前記光通信の通信状態を監視した監視情報を記憶する監視情報記憶部を備え、
前記回線監視部が前記通信状態に異常を検出した場合に、
前記伝送装置が前記光通信を停止させる工程と、
前記伝送装置が、前記伝送装置の通信回線に障害が発生しているか否かの自己診断を行う工程と、
前記伝送装置が、前記監視情報記憶部が記憶する前記監視情報と、前記自己診断の結果と、を前記ネットワーク監視装置に送信する工程と、
を有することを特徴とする伝送装置の故障診断方法。
【請求項１２】
請求項１または請求項２に記載の伝送装置から送信された前記自己診断の結果を受信するネットワーク監視装置における伝送装置の故障診断方法において、
前記ネットワーク監視装置が、受信した前記自己診断の結果に基づき故障箇所を推定する工程と、
故障解決方法を予め記憶し、前記ネットワーク監視装置が備える故障解決方法記憶部から、前記推定した前記故障箇所に対応する故障解決方法を読み出す工程と、
推定した前記故障箇所と、前記故障解決方法記憶部から読み出した前記故障箇所に対応する前記故障解決方法と、を前記ネットワーク監視装置の表示部に表示する工程と
を有することを特徴とするネットワーク監視装置における伝送装置の故障診断方法。
【請求項１３】
請求項１２に記載するネットワーク監視装置における伝送装置の故障診断方法においてにおいて、
前記ネットワーク監視装置が、前記伝送装置に前記自己診断を実施させる指示が入力される指示入力部を備え、
前記表示部が、前記回線監視部が前記通信状態に異常を検出した場合に、異常を検出したことを表示する工程を有する
ことを特徴とするネットワーク監視装置における伝送装置の故障診断方法。
【請求項１４】
複数の請求項２に記載の伝送装置と、請求項４に記載のネットワーク監視装置と、を備えるネットワーク通信システムの故障診断方法において、
前記回線試験部が、前記複数の伝送装置間の通信回線について、障害が発生しているか否かの装置間回線試験をする装置間回線試験工程と、
前記送信部が、前記監視情報記憶部が記憶する前記監視情報と、前記自己診断の結果と、前記装置間回線試験の結果と、を前記ネットワーク監視装置に送信する工程と、
を有することを特徴とするネットワーク通信システムの故障診断方法。
【請求項１５】
請求項１４に記載のネットワーク通信システムの故障診断方法において、
前記ネットワーク通信システムは、第一の伝送装置と第二の伝送装置とを備え、
前記装置間回線試験工程は、
前記第一の伝送装置の第一の回線試験部と前記第二の伝送装置の第二の回線試験部とが、
前記第一の伝送装置から前記第二の伝送装置を経由して前記第一の伝送装置に戻る通信回線について障害が発生しているか否かの装置間回線試験であるループ試験をする工程と、
前記第一の伝送装置から前記第二の伝送装置への通信回線と、及び前記第二の伝送装置から前記第一の伝送装置への通信回線と、の各々の通信回線について障害が発生しているか否かの装置間回線試験であるワンウェイ試験をする工程と、である
ことを特徴とするネットワーク通信システムの故障診断方法。
【請求項１６】
光通信により通信回線を介して情報を伝送する伝送装置と、前記伝送装置を監視するネットワーク監視装置を備えるネットワーク通信システムの故障診断方法において、
前記伝送装置は、前記光通信の通信品質を監視する回線監視部を備え、
前記伝送装置が、前記回線監視部による前記通信品質の監視情報を、監視情報記憶部に記憶させる工程と、
前記回線監視部が前記通信品質に異常を検出した場合に、
前記ネットワーク監視装置が、前記異常の原因となる故障箇所を確認する調査を前記伝送装置に指示する工程と、
前記伝送装置が、前記ネットワーク監視装置からの指示に基づいて、前記通信回線に障害が発生しているか否かの伝送装置内部の自己診断と、伝送装置間の回線試験と、を実施する工程と、
前記伝送装置が、前記自己診断の結果と、前記回線試験の結果と、前記監視情報記憶部が記憶する前記監視情報と、を前記ネットワーク監視装置に送信する工程と、
前記ネットワーク監視装置が、受信した前記自己診断の結果と、前記回線試験の結果と、前記監視情報記憶部が記憶する前記監視情報と、から前記伝送装置の故障箇所を推定する工程と、
前記ネットワーク監視装置が、推定した前記故障箇所に対応する故障解決方法を故障解決方法記憶部から読み出す工程と、
前記ネットワーク監視装置が、前記故障解決方法記憶部から読み出した前記故障箇所に対応する故障解決方法を表示部に表示する工程と、
を有することを特徴とするネットワーク通信システムの故障診断方法。
【発明の詳細な説明】
【技術分野】
【０００１】
本発明は、伝送装置、ネットワーク監視装置、ネットワーク通信システムとその故障診断方法に関する。
【背景技術】
【０００２】
一般に、安定して品質の高い通信を確保するために、構築した光通信ネットワークが正常な光通信を行っているか否かや、光通信を中継する伝送装置が正常に動作しているか否かを常時モニターし、監視する必要がある。
【０００３】
また、光通信ネットワークを新たに構築・増設した場合や、光通信ネットワークのメンテナンス時等には、この光通信ネットワークにおける各種の光特性等を測定する事により、この通信ネットワークが正常に動作するか否を確認し、診断する必要がある。
【０００４】
さらには、伝送装置等に何らかの異常が検出された場合には、光通信ネットワークに故障が発生したか否かを確認し、万一故障が発生している場合には、その故障箇所を特定し、さらには故障を解決して通信を復旧させる必要がある。
【０００５】
従来、このような光通信ネットワークの動作を確認したり、診断したり等する様々な診断手法が提唱されている。例えば、サブネットワークに対してそれぞれサブネットワーク管理装置を接続し、各サブネットワークで発生するアラームを対応する各サブネットワーク管理装置で検出するネットワーク障害診断方式が提案されている。
【０００６】
このネットワーク障害診断方式は、総合ネットワーク管理装置で各サブネットワーク管理装置で検出された各アラームを収集して、各アラーム発生に対応して次々と障害部位候補を推定する。また、このネットワーク障害診断方式は、これらの障害部位候補集合どうしの共通集合を求めることにより、障害部位を自動的に特定して表示する。また、このネットワーク障害診断方式は、オペレータの指示により障害発生原因の解析を実施している。
【０００７】
また、他のネットワーク障害管理装置においては、ネットワークを管理するネットワーク障害管理装置に関する各種情報を記憶する第一の記憶部を備える。第一の記憶部は、各ネットワークや各中継器との間のネットワーク接続関係等、このネットワーク障害管理装置の装置状態を記憶する。
【０００８】
さらに、このネットワーク障害管理装置は、ネットワーク構成に関する情報を記憶する第二の記憶部を備える。さらに、このネットワーク障害管理装置は、ネットワーク構成と装置状態による障害発生箇所及びその原因に関する情報を記憶する第三の記憶部を備える。
【０００９】
そして、通信障害等の異常発生時にネットワーク障害管理装置に入力される情報に基づいて、第一の記憶部、第二の記憶部、第三の記憶部に記録される各情報を用いて、通信障害の状態や通信障害の発生箇所や通信障害の発生原因を求めるネットワーク障害管理装置が提案されている。
【００１０】
また、通信ネットワークの故障発生時における各測定器の呼状態とこの呼状態に対応する通信ネットワークの応答状態とを故障コードとして記憶し、発信側測定器で得られた故障コードと着信測定器で得られた故障コードとの組合わせに基づいて故障の原因を推定する方法が提示されている。
【００１１】
このような通信ネットワーク診断方法は、例えば下記特許文献１等に開示されている。
【特許文献１】特開平０８−１９１２９９
【発明の開示】
【発明が解決しようとする課題】
【００１２】
従来、ネットワーク通信システムの故障発生箇所を特定するための作業は、煩瑣であり相当の時間と手間を要するだけでなく、作業に熟練したオペレータが行う必要があった。
【００１３】
本発明は、上述の問題点に鑑み為されたものであり、短時間で容易にネットワーク通信システムの故障箇所を特定可能な伝送装置等を実現することを目的とする。
【課題を解決するための手段】
【００１４】
この発明にかかる伝送装置は、通信回線を介した光通信の通信状態を監視する回線監視部と、回線監視部が通信状態に異常を検出した場合に、伝送装置の光通信を停止させる監視制御部と、通信回線に障害が発生しているか否かの自己診断をする回線試験部と、回線試験部が行なう自己診断の結果を伝送装置と接続されるネットワーク監視装置に送信する送信部とを備えることを特徴とする。
【００１５】
また、この発明にかかる伝送装置は、好ましくは回線監視部が、通信回線を介する入力光強度または出力光強度を測定する光パワー測定部と、光通信のエラー率を算出するエラー率演算部とを備え、伝送装置は、回線監視部が光通信の通信状態を監視した監視情報を記憶する監視情報記憶部を備え、回線監視部が通信状態に異常を検出した場合に、監視制御部が、伝送装置の光通信を停止させ、回線試験部が、伝送装置の通信回線に障害が発生しているか否かの自己診断を行い、送信部が、監視情報記憶部が記憶する監視情報と、自己診断の結果と、をネットワーク監視装置に送信することを特徴とする。
【００１６】
また、この発明にかかるネットワーク監視装置は、上述の伝送装置から送信された自己診断の結果を受信するネットワーク監視装置であって、受信した自己診断の結果に基づき故障箇所を推定する故障箇所推定部と、故障箇所推定部が推定した故障箇所に対応する故障解決方法を予め記憶する故障解決方法記憶部と、故障箇所推定部が推定した故障箇所と、故障解決方法記憶部が記憶する故障箇所に対応する故障解決方法と、を表示する表示部とを備えることを特徴とする。
【００１７】
また、この発明にかかるネットワーク監視装置は、好ましくは伝送装置に自己診断を実施させる指示が入力される指示入力部を備え、表示部は、伝送装置の回線監視部が通信状態に異常を検出したことを表示する表示部であることを特徴とする。
【００１８】
また、この発明にかかるネットワーク通信システムは、複数の伝送装置と、ネットワーク監視装置と、を備えるネットワーク通信システムであって、回線試験部は、複数の伝送装置間の通信回線について、障害が発生しているか否かの回線試験をし、送信部は、監視情報記憶部が記憶する監視情報と、自己診断の結果と、回線試験の結果と、をネットワーク監視装置に送信することを特徴とする。
【００１９】
また、この発明にかかるネットワーク通信システムは、好ましくは第一の伝送装置と第二の伝送装置とを備え、第一の伝送装置の第一の回線試験部と第二の伝送装置の第二の回線試験部とが、第一の伝送装置から第二の伝送装置を経由して第一の伝送装置に戻る通信回線について障害が発生しているか否かの回線試験であるループ試験と、第一の伝送装置から第二の伝送装置への通信回線と、及び第二の伝送装置から第一の伝送装置への通信回線と、の各々の通信回線について障害が発生しているか否かの回線試験であるワンウェイ試験と、を行なうことを特徴とする。
【００２０】
また、この発明にかかる伝送装置は、回線監視部が、通信回線を介する入力光強度を測定する光パワー測定部と、入力光強度の閾値を記憶する閾値記憶部と、閾値記憶部に記憶される入力光強度の閾値と光パワー測定部で測定する入力光強度とを比較する比較部と、を備え、回線監視部は、比較部での比較結果により、光パワー測定部で測定する入力光強度が、閾値より小さい場合に異常を検出したと判断することを特徴とする。
【００２１】
また、この発明にかかる伝送装置は、好ましくは回線監視部が、通信回線を介する出力光強度を測定する光パワー測定部と、出力光強度の閾値を記憶する閾値記憶部と、閾値記憶部に記憶される出力光強度の閾値と光パワー測定部で測定する出力光強度とを比較する比較部とを備え、回線監視部は、比較部での比較結果により、光パワー測定部で測定する出力光強度が、閾値より小さい場合に異常を検出したと判断することを特徴とする。
【００２２】
また、この発明にかかる伝送装置は、さらに好ましくは回線監視部が、エラー率の閾値を記憶する閾値記憶部と、閾値記憶部に記憶されるエラー率の閾値と、エラー率演算部で算出するエラー率と、を比較する比較部とを備え、回線監視部は、比較部での比較結果により、エラー率演算部で算出するエラー率が閾値より大きい場合に異常を検出したと判断することを特徴とする。
【００２３】
また、この発明にかかる伝送装置の故障診断方法は、通信回線を介した光通信の伝送をし、通信状態を監視する回線監視部を備える伝送装置の故障診断方法において、回線監視部が通信状態に異常を検出した場合に、伝送装置が光通信を停止させる工程と、通信回線に障害が発生しているか否かの自己診断をする工程と、自己診断の結果を伝送装置と接続されるネットワーク監視装置に送信する工程とを有することを特徴とする。
【００２４】
また、この発明にかかる伝送装置の故障診断方法は、好ましくは回線監視部が、通信回線を介する入力光強度または出力光強度を測定する光パワー測定部と、光通信のエラー率を算出するエラー率演算部とを備え、伝送装置は、回線監視部が光通信の通信状態を監視した監視情報を記憶する監視情報記憶部を備え、回線監視部が通信状態に異常を検出した場合に、伝送装置が光通信を停止させる工程と、伝送装置が、伝送装置の通信回線に障害が発生しているか否かの自己診断を行う工程と、伝送装置が、監視情報記憶部が記憶する監視情報と、自己診断の結果と、をネットワーク監視装置に送信する工程とを有することを特徴とする。
【００２５】
また、この発明にかかるネットワーク監視装置における伝送装置の故障診断方法は、伝送装置から送信された自己診断の結果を受信するネットワーク監視装置における伝送装置の故障診断方法であって、ネットワーク監視装置が、受信した自己診断の結果に基づき故障箇所を推定する工程と、故障解決方法を予め記憶し、ネットワーク監視装置が備える故障解決方法記憶部から、推定した故障箇所に対応する故障解決方法を読み出す工程と、故障箇所推定部が推定した故障箇所と、故障解決方法記憶部から読み出した故障箇所に対応する故障解決方法と、をネットワーク監視装置の表示部に表示する工程とを有することを特徴とする。
【００２６】
また、この発明にかかるネットワーク監視装置における伝送装置の故障診断方法は、好ましくはネットワーク監視装置が、伝送装置に自己診断を実施させる指示が入力される指示入力部を備え、表示部が、回線監視部が通信状態に異常を検出した場合に、異常を検出したことを表示する工程を有することを特徴とする。
【００２７】
また、この発明にかかるネットワーク通信システムの故障診断方法は、複数の伝送装置とネットワーク監視装置とを備えるネットワーク通信システムの故障診断方法であって、回線試験部が、複数の伝送装置間の通信回線について、障害が発生しているか否かの回線試験をする回線試験工程と、送信部が、監視情報記憶部が記憶する監視情報と、自己診断の結果と、回線試験の結果と、をネットワーク監視装置に送信する工程とを有することを特徴とする。
【００２８】
また、この発明にかかるネットワーク通信システムの故障診断方法は、好ましくはネットワーク通信システムが、第一の伝送装置と第二の伝送装置とを備え、回線試験工程は、第一の伝送装置の第一の回線試験部と第二の伝送装置の第二の回線試験部とが、第一の伝送装置から第二の伝送装置を経由して第一の伝送装置に戻る通信回線について障害が発生しているか否かの回線試験であるループ試験をする工程と、第一の伝送装置から第二の伝送装置への通信回線と、及び第二の伝送装置から第一の伝送装置への通信回線と、の各々の通信回線について障害が発生しているか否かの回線試験であるワンウェイ試験をする工程とであることを特徴とする。
【００２９】
また、この発明にかかるネットワーク通信システムの故障診断方法は、光通信により通信回線を介して情報を伝送する伝送装置と、伝送装置を監視するネットワーク監視装置を備えるネットワーク通信システムの故障診断方法において、伝送装置は、光通信の通信品質を監視する回線監視部を備え、伝送装置が、回線監視部による通信品質の監視情報を、監視情報記憶部に記憶させる工程と、回線監視部が通信品質に異常を検出した場合に、ネットワーク監視装置が、異常の原因となる故障箇所を確認する調査を伝送装置に指示する工程と、伝送装置が、ネットワーク監視装置からの指示に基づいて、通信回線に障害が発生しているか否かの伝送装置内部の自己診断と、伝送装置間の回線試験と、を実施する工程と、伝送装置が、自己診断の結果と、回線試験の結果と、監視情報記憶部が記憶する監視情報と、をネットワーク監視装置に送信する工程と、ネットワーク監視装置が、受信した自己診断の結果と、回線試験の結果と、監視情報記憶部が記憶する監視情報と、から伝送装置の故障箇所を推定する工程と、ネットワーク監視装置が、推定した故障箇所に対応する故障解決方法を故障解決方法記憶部から読み出す工程と、ネットワーク監視装置が、故障解決方法記憶部から読み出した故障箇所に対応する故障解決方法を表示部に表示する工程とを有することを特徴とする。
【発明の効果】
【００３０】
短時間で容易にネットワーク通信システムの故障箇所を特定可能な伝送装置等を実現できる。
【発明を実施するための最良の形態】
【００３１】
本実施形態で例示するネットワーク通信システムは、ネットワーク監視装置が通信状態に異常を検出すると、異常を検出した事をオペレータに通知する。さらに、本実施形態で例示するネットワーク通信システムのネットワーク監視装置は、異常を生じた伝送装置に対して、故障箇所を推定するための自己診断動作を指示する。
【００３２】
また、ネットワーク監視装置から自己診断動作を指示された伝送装置は、伝送装置内部の通信回線に異常があるか否かの自己診断動作を行う。また、ネットワーク監視装置から自己診断動作を指示された伝送装置は、他の伝送装置との間の通信回線に異常があるか否かの回線試験を行う。
【００３３】
また、伝送装置は、往復路についての回線試験であるループ試験と、往路と復路との各々についての回線試験であるワンウェイ試験と、の二つの回線試験を行う。また、伝送装置は、中継する情報の通信状態を監視するとともに、その監視結果を記憶する。
【００３４】
ネットワーク監視装置は、伝送装置が記憶している監視結果と自己診断の結果と回線試験の結果とを、伝送装置から受信してこれらの自己診断情報を元に故障箇所を推定する。また、故障箇所を推定したネットワーク監視装置は、推定した故障箇所に対応する故障解決方法を記憶部から読み出し、読み出した故障解決方法を表示部へ表示する。
【００３５】
これにより、ネットワーク通信システムは、熟練したオペレータが煩瑣な作業をしなくても、容易にかつ短時間で的確に故障箇所の推定を行い、速やかに通信を復旧する事が可能となる。
【００３６】
そこで、以下図面を参照しながら第一の実施形態について詳細に説明する。
【００３７】
（第一の実施形態）
図１は、本実施形態のネットワーク通信システムを示す概念ブロック図である。図１に示すように、ネットワーク通信システム１０００は、光通信を中継する伝送装置１００と伝送装置２００とネットワーク監視装置３００とを備える。また、ネットワーク通信システム１０００は、他の中継装置や伝送装置あるいは端末装置である対向装置４００と、対向装置５００と、を備える。
【００３８】
ネットワーク通信システム１０００において、伝送装置１００は、対向装置４００から光ファイバ等の伝送路１０１を介して伝送された情報を、受信部１０３で受信する。また、伝送装置２００は、伝送装置１００の送信部１０４から光ファイバ等の伝送路２０１を介して送信された情報を、受信部２０３で受信する。そして、伝送装置２００は、送信部２０４から光ファイバ等の伝送路５０１を介して対向装置５００へと情報を伝送する。
【００３９】
また、ネットワーク通信システム１０００において、伝送装置２００は、対向装置５００から光ファイバ等の伝送路５０２を介して伝送された情報を、受信部２０５で受信する。また、伝送装置１００は、伝送装置２００の送信部２０６から光ファイバ等の伝送路２０２を介して送信された情報を、受信部１０５で受信する。そして、伝送装置１００は送信部１０６から光ファイバ等の伝送路１０２を介して対向装置４００へと情報を伝送する。
【００４０】
また、伝送装置１００は、受信部１０３と受信部１０５とで受信した光情報の特性を測定等して監視する回線監視部１１０を備える。回線監視部１１０は、受信した光情報のエラー有無等をチェックするエラーチェック部１１１を備える。また、エラーチェック部１１１は、受信した光情報の中に含まれるエラービットの割合を算出するエラー発生率演算部１１２を備える。
【００４１】
また、回線監視部１１０は、受信部１０３と受信部１０５及び送信部１０４と送信部１０６とで送受信される入出力光の光強度を測定する光パワー測定部１１３を備える。また、回線監視部１１０は、伝送装置１００で行う通信状態の監視動作全体を制御する監視制御部１１４を備える。
【００４２】
また、監視制御部１１４は、伝送装置１００の通信状態を、回線監視部１１０で監視した結果等を記録する記憶部１１５を備える。記憶部１１５には、光パワー測定部１１３で測定した光通信の入力光強度と出力光強度との測定結果も記録される。
【００４３】
また、伝送装置１００は、伝送装置１００の内部や外部の通信回線の障害有無を確認等する回線試験をする回線試験部１２０を備える。また、回線試験部１２０は、回線試験を行う為の試験フレームを生成する試験フレーム生成部１２１を備える。
【００４４】
また、伝送装置１００は、試験フレーム生成部１２１で生成した試験フレームを伝送装置１００の装置内に備える通信回線を周回させる装置内ループ試験部１２４を備える。また、伝送装置１００は、試験フレーム生成部１２１で生成した試験フレームを、伝送装置１００と伝送装置２００との間の通信回線である伝送路２０１と伝送路２０２と伝送装置２００とで形成されるループを周回させて、伝送装置２００と連携して伝送装置間のループ試験を行う装置間ループ試験部１２５を備える。装置内ループ試験部１２４と装置間ループ試験部１２５とは、ループ試験部１２３に備えられる。
【００４５】
また、回線試験部１２０は、伝送路２０１と伝送路２０２との各々について、伝送装置２００と連携して個別に回線試験を行うワンウェイ試験部１２２を備える。また、回線試験部１２０は、装置内ループ試験部１２４又は装置間ループ試験部１２５等により通信回線に挿入された試験フレームを、検出する試験フレーム検出部１２６を備える。
【００４６】
また、回線試験部１２０は、試験フレーム検出部１２６で検出した試験フレームから、回線試験の結果が良好であるか否かを判定する試験結果判定部１２７を備える。伝送装置１００は、試験結果が良好であるか否かの判定結果を記憶部１１５に記録する。すなわち、記憶部１１５には、伝送装置１００の通信状態を監視した結果である光通信のエラー発生率や光パワーと、自己診断や他の伝送装置との間での回線試験の結果とが記録される。
【００４７】
また、伝送装置２００は、伝送装置１００と同一の構成をとるものとする。すなわち、伝送装置２００は、受信部２０３と受信部２０５とで受信した光情報の特性を測定等して監視する回線監視部２１０を備える。回線監視部２１０は、受信した光情報のエラー有無等をチェックするエラーチェック部２１１を備える。また、エラーチェック部２１１は、受信した光情報の中に含まれるエラービットの割合を算出するエラー発生率演算部２１２を備える。
【００４８】
また、回線監視部２１０は、受信部２０３と受信部２０５及び送信部２０４と送信部２０６とで送受信される入出力光の光強度を測定する光パワー測定部２１３を備える。また、回線監視部２１０は、伝送装置２００で行う通信状態の監視動作全体を制御する監視制御部２１４を備える。
【００４９】
また、監視制御部２１４は、伝送装置２００の通信状態を、回線監視部２１０で監視した結果等を記録する記憶部２１５を備える。記憶部２１５には、光パワー測定部１１３で測定した光通信の入力光強度と出力光強度との測定結果も記録される。
【００５０】
また、伝送装置２００は、伝送装置２００の内部や外部の通信回線の障害有無を確認等する回線試験をする回線試験部２２０を備える。また、回線試験部１２０は、回線試験を行う為の試験フレームを生成する試験フレーム生成部２２１を備える。
【００５１】
また、伝送装置２００は、試験フレーム生成部２２１で生成した試験フレームを伝送装置２００の装置内に備える通信回線を周回させる装置内ループ試験部２２４を備える。また、伝送装置２００は、試験フレーム生成部２２１で生成した試験フレームを、伝送装置２００と伝送装置１００との間の通信回線である伝送路２０２と伝送路２０１と伝送装置１００とで形成されるループを周回させて、伝送装置１００と連携して伝送装置間のループ試験を行う装置間ループ試験部２２５を備える。装置内ループ試験部２２４と装置間ループ試験部２２５とは、ループ試験部２２３に備えられる。
【００５２】
また、回線試験部２２０は、伝送路２０２と伝送路２０１との各々について、伝送装置１００と連携して個別に回線試験を行うワンウェイ試験部２２２を備える。また、回線試験部２２０は、装置内ループ試験部２２４又は装置間ループ試験部２２５等により通信回線に挿入された試験フレームを、検出する試験フレーム検出部２２６を備える。
【００５３】
また、回線試験部２２０は、試験フレーム検出部２２６で検出した試験フレームから、回線試験の結果が良好であるか否かを判定する試験結果判定部２２７を備える。伝送装置２００は、試験結果が良好であるか否かの判定結果を記憶部２１５に記録する。すなわち、記憶部２１５には、伝送装置２００の通信状態を監視した結果である光通信のエラー発生率や光パワーと、自己診断や他の装置との間での回線試験の結果とが記録される。伝送装置２００は、ＬＥＤ表示部２３０に異常表示を表示させることができる。
【００５４】
また、ネットワーク通信システム１０００は、伝送装置１００や伝送装置２００や対向装置４００や対向装置５００等を管理し、ネットワーク通信システム１０００全体の通信状態を監視するネットワーク監視装置３００を備える。ネットワーク監視装置３００は、ネットワーク監視装置３００全体の動作制御を行うＣＰＵ３１０を備える。ネットワーク監視装置３００は、伝送装置１００等と専用回線で接続されてもよいし、伝送装置間通信の送信部を介して接続されてもよい。専用回線で接続する場合には、伝送装置１００等はネットワーク監視装置３００との専用の不図示の送信部を備えるものとする。
【００５５】
また、ネットワーク監視装置３００は、ＣＰＵ３１０に故障推定処理をさせる動作プログラムを記憶する故障箇所推定プログラム記憶部３２１と、故障解決方法を予め記憶する故障解決方法記憶部３２３とを備える。故障箇所推定プログラム記憶部３２１と故障解決方法記憶部３２３とは、記憶部３２０に備えられる。ＣＰＵ３１０は、故障箇所推定プログラム記憶部３２１に基づき動作する故障箇所推定部３１１と故障解決方法記憶部３２３から故障解決方法を読み出し処理する読み出し部３１２とを備える。
【００５６】
また、ネットワーク監視装置３００は、読み出し部３１２が故障解決方法記憶部３２３から読み出した故障解決方法を、オペレータが視認できるように表示する表示部３２４を備える。また、ネットワーク監視装置３００は、ネットワーク通信システム１０００に異常が検出された場合に、異常が検出された伝送装置１００等に、故障箇所を推定するための自己診断や回線試験等を行わせると共に、自己診断の結果や回線試験の結果等を送信させる指示を入力する指示入力部３２５を備える。
【００５７】
次に、ネットワーク通信システム１０００の動作と処理について、図２等を用いて詳細に説明する。図２は、ネットワーク通信システム１０００の動作処理の概要を示すフロー図である。また、以下の説明では、図２に示す各ステップごとに対応する説明図等を用いながら順次説明することとする。
【００５８】
（ステップＳ２１）
伝送装置１００は、伝送装置１００自身の装置状態を記憶部１１５に記録する。ここで、伝送装置１００自身の装置状態とは、例えば伝送装置１００の電源が遮断された場合の電源断情報や、伝送装置１００の冷却ファン等が故障等した故障情報等、伝送装置１００の装置状態に異常が発生した場合の発生時刻や発生箇所、電圧値、電流値等の検出情報である。
【００５９】
伝送装置１００は、通常、伝送装置１００自身の装置状態を監視する電圧検出部等のセンサーを複数備える。従って、伝送装置１００は、伝送装置１００自身の装置状態を監視している複数のセンサーの出力値を、装置の状態を示す情報として記憶部１１５に記録する。
【００６０】
（ステップＳ２２）
伝送装置１００は、中継する光通信の回線状態を記憶部１１５に記録する。伝送装置１００の回線監視部１１０は、通信回線を介して伝送される光の強度等を監視している。このため、回線監視部１１０は、監視している光の強度等を、回線状態を示す情報として、記憶部１１５に記録する。
【００６１】
図３は、回線監視部１１０が、伝送装置１００で中継する伝送路１０１，２０１，２０２，１０２を介する光情報について監視する様子を概念的に示すブロック図である。図３に示すように、回線監視部１１０は、監視制御部１１４の指示に基づいて監視動作を行い、回線監視部１１０での監視結果は全て記憶部１１５に記録するものとする。
【００６２】
具体的には、伝送装置１００は、エラー発生率演算部１１２で算出するエラー発生率や、光パワー測定部１１３で測定する入出力光強度を、記憶部１１５に記録する。また、図４は、伝送装置１００が、伝送路１０１を介して伝送されてきた光情報を、エラーチェック部１１１でエラーチェックして、伝送路２０１を介して伝送する様子を示すブロック概念図である。
【００６３】
図４に示すように、伝送装置１００は、エラーチェック部１１１のエラー発生率演算部１１２が算出したエラー発生率を記憶部１１５に記録する。また、光通信の回線状態とは、例えばエラーチェック部１１１でチェックしたエラー発生回数や、エラー発生率演算部１１２で算出するエラー発生率や、光パワー測定部１１３で測定する入出力光強度等、通信回線を介する光通信の状態を監視して得た通信回線の情報である。
【００６４】
（ステップＳ２３）
ネットワーク監視装置３００は、伝送装置１００または伝送装置２００から装置異常または回線異常の警報通知があるか否かを判断する。ネットワーク監視装置３００は、伝送装置１００等から警報通知があればステップＳ２４へと進む。また、ネットワーク監視装置３００は、伝送装置１００等から警報通知がなければステップＳ２１へと戻る。なお、以下の説明においては、伝送装置１００が異常警報を通知したものとして説明を続ける。
【００６５】
（ステップＳ２４）
オペレータが、ネットワーク監視装置３００の指示入力部３２５から、異常を検出した伝送装置１００に対して自己診断命令を指示入力する。なお、このステップＳ２４でのオペレータの指示入力は、オペレータの指示を待つことなく、伝送装置１００からの異常通知を受信したネットワーク監視装置３００が自動的に指示することとしてもよい。
【００６６】
（ステップＳ２５）
伝送装置１００は、伝送装置１００の内部の通信回線について、ループ試験を行う。具体的には、図５に示すように監視制御部１１４が光通信の中継伝送に関する送受信を停止させる。図５は、伝送装置１００内部のループ試験を概念的に説明するブロック図である。
【００６７】
図５において、回線試験部１２０の試験フレーム生成部１２１が生成した試験フレームを、装置内ループ試験部１２４が、伝送装置１００の内部の通信回線５１１，５１２を経由する内部ループに挿入させる。また、この際、監視制御部１１４が、送信部１０４，１０６、受信部１０３，１０５を介する外部の伝送路１０１，１０２，２０１，２０２との送受信を停止させる。
【００６８】
そして、試験フレーム検出部１２６が伝送装置１００の内部ループを伝送されてきた試験フレームを検出する。また、試験結果判定部１２７は、試験フレーム検出部１２６が検出した試験フレームが良好であるか否かを判定する。試験結果判定部１２７は、例えばデフォルトで試験フレーム生成部１２１が生成したオリジナル試験フレームと、試験フレーム検出部１２６が検出した試験フレームとを比較する。
【００６９】
そして、試験結果判定部１２７は、オリジナル試験フレームとの比較結果により、オリジナル試験フレームに対する誤りビット率や、検出光強度を試験フレーム挿入時の挿入光強度と比較した結果から、試験フレーム検出部１２６が検出した試験フレームは良好であるか否かを判定する。
【００７０】
また、試験結果判定部１２７で判定した装置内ループ試験の結果は、監視制御部１１４が、記憶部１１５に記録する。なお、上述の動作は伝送装置１００が行うものとして動作説明をした。しかし、伝送装置２００に異常が検出された場合等には、伝送装置２００が伝送装置内ループ試験を行ってもよいし、伝送装置１００と伝送装置２００との両方の伝送装置が、各々伝送装置内ループ試験を行ってもよい。
【００７１】
（ステップＳ２６）
ネットワーク通信システム１０００の伝送装置１００と伝送装置２００とは、連携して双方の伝送装置間でループ試験動作を行う。図６は、伝送装置間の試験動作を説明するブロック概念図である。図６に示すように、伝送装置１００の監視制御部１１４は、伝送装置１００の送信部１０６と受信部１０３との各々の送受信動作を停止させる。
【００７２】
また、伝送装置２００の監視制御部２１４は、伝送装置２００の送信部２０４と受信部２０５との各々の送受信動作を停止させる。そして、伝送装置１００の試験フレーム生成部１２１は、装置間ループ試験を行うための試験フレームを生成する。また、装置間ループ試験部１２５は、試験フレーム生成部１２１が生成した試験フレームを送信部１０４から伝送路２０１へと挿入する。
【００７３】
また、伝送装置２００は、伝送路２０１から伝送されてきた試験フレームを受信部２０３で受信する。また、伝送装置２００の装置間ループ試験部２２５は、受信部２０３で受信した試験フレームを送信部２０６から伝送装置２００へ送信するように、伝送装置間ループを形成する。
【００７４】
また、伝送装置１００は、伝送路２０２から戻ってきた試験フレームを受信部１０５で受信する。そして、受信部１０５で受信した試験フレームは、試験フレーム検出部１２６が検出する。また、試験結果判定部１２７は、試験フレーム検出部１２６で検出した試験フレームが良好であるか否かを判定する。
【００７５】
試験結果判定部１２７は、例えばデフォルトで試験フレーム生成部１２１が生成したオリジナル試験フレームと、試験フレーム検出部１２６が検出した試験フレームとを比較する。
【００７６】
そして、試験結果判定部１２７は、オリジナル試験フレームとの比較結果により、オリジナル試験フレームに対する誤りビット率や、検出光強度を試験フレーム挿入時の挿入光強度と比較した結果から、試験フレーム検出部１２６が検出した試験フレームは良好であるか否かを判定する。
【００７７】
また、試験結果判定部１２７で判定した伝送装置間ループ試験の結果は、監視制御部１１４が、記憶部１１５に記録する。
【００７８】
なお、上述の説明においては、伝送装置１００が試験フレームを生成する伝送装置間ループ試験動作について説明した。しかし、伝送装置１００に代えて伝送装置２００が試験フレームを作成してもよい。また、伝送装置１００と伝送装置２００との双方が、各々試験フレームを作成して装置間ループ試験を行ってもよい。
【００７９】
（ステップＳ２７）
伝送装置１００のワンウェイ試験部１２２と、伝送装置２００のワンウェイ試験部２２２とが連携して、伝送装置１００から伝送装置２００に至る伝送路２０１について、試験フレームを挿入して回線試験を行う。
【００８０】
具体的には、図６に示すように伝送装置１００の試験フレーム生成部１２１が作成した試験フレームを、ワンウェイ試験部１２２が送信部１０４から伝送路２０１に送出する。伝送装置２００の受信部２０３は、伝送路２０１から伝送された試験フレームを受信し、試験フレーム検出部２２６が受信した試験フレームを検出する。
【００８１】
また、伝送装置２００の試験結果判定部２２７は、試験フレーム検出部２２６が検出した試験フレームが良好か否かを判定する。試験結果判定部２２７が判定した結果は、回線試験の結果として、伝送装置２００の記憶部２１５に記憶する。
【００８２】
（ステップＳ２８）
伝送装置１００のワンウェイ試験部１２２と、伝送装置２００のワンウェイ試験部２２２とが連携して、伝送装置２００から伝送装置１００に至る伝送路２０２について、試験フレームを挿入して回線試験を行う。
【００８３】
具体的には、図６に示すように、伝送装置２００の試験フレーム生成部２２１が作成した試験フレームを、ワンウェイ試験部２２２が送信部２０６から伝送路２０２に送出する。伝送装置１００の受信部１０５は、伝送路２０２から伝送された試験フレームを受信し、試験フレーム検出部１２６が受信した試験フレームを検出する。
【００８４】
また、伝送装置１００の試験結果判定部１２７は、試験フレーム検出部１２６が検出した試験フレームが良好か否かを判定する。試験結果判定部１２７が判定した結果は、回線試験の結果として、伝送装置１００の記憶部１１５に記憶する。
【００８５】
（ステップＳ２９）
ネットワーク通信システム１０００の伝送装置１００と伝送装置２００とは、各々の送受信部における入出力光強度を測定し、各々の記憶部１１５，１１６に測定した入出力光強度を記録する。図７は、伝送装置１００と伝送装置２００等との装置間における入出力光強度の測定を概念的に示す図である。
【００８６】
具体的には、伝送装置１００は、送信部１０４から試験光を送出し、光パワー測定部１１３が、送出する出力光強度を測定する。また、伝送装置２００の光パワー測定部２１３は、受信部２０３で受信した試験光の入力光強度を測定する。光パワー測定部２１３で測定した光強度は、記憶部２１５に記録する。
【００８７】
同様に、伝送装置２００は、送信部２０６から試験光を送出し、光パワー測定部２１３が、送出する出力光強度を測定する。また、伝送装置１００の光パワー測定部１１３は、受信部１０５で受信した試験光の入力光強度を測定する。光パワー測定部１１３で測定した光強度は、記憶部１１５に記録する。
【００８８】
このようにして、伝送装置１００と伝送装置２００との間での送信部１０４，２０６，受信部２０３，１０５での光強度が測定され、記録される。また、図７に示すように、対向装置４００と伝送装置１００との間、及び対向装置５００と伝送装置２００との間においても上述と同様の動作を実施することにより、伝送装置１００の送信部１０４，１０６及び受信部１０３，１０５、並びに伝送装置２００の送信部２０４，２０６及び受信部２０３，２０５について、光強度を測定し記録することができる。
【００８９】
なお、このステップＳ２９の工程は、省略してもよい。ステップＳ２９を省略する場合には、伝送装置１００については、回線監視部１１０が光通信の状態を監視して記憶部１１５に記録した回線状態の情報を用いることとできる。また、ステップＳ２９を省略する場合には、伝送装置２００については、回線監視部２１０が光通信の状態を監視して記憶部２１５に記録した回線状態の情報を用いることとできる。
【００９０】
（ステップＳ２ａ）
伝送装置１００は、ステップＳ２１で記憶部１１５に記録した装置状態の情報と、ステップＳ２２で記憶部１１５に記録した回線状態の情報と、ステップＳ２５で記憶部１１５に記録した伝送装置内のループ試験結果（自己診断の結果に対応）と、ステップＳ２６乃至ステップＳ２８で記憶部１１５に記録した装置間の回線試験の結果と、をネットワーク監視装置３００に送信する。
【００９１】
また、伝送装置２００は、ステップＳ２１で記憶部２１５に記録した装置状態の情報と、ステップＳ２２で記憶部２１５に記録した回線状態の情報と、ステップＳ２５で記憶部２１５に記録した伝送装置内のループ試験結果（自己診断の結果に対応）と、ステップＳ２６乃至ステップＳ２８で記憶部２１５に記録した装置間の回線試験の結果と、をネットワーク監視装置３００に送信する。
【００９２】
なお、ステップＳ２５乃至ステップＳ２８で記憶部１１５に記録した自己診断の結果や回線試験の結果は、記憶部１１５に記録することなく、順次、ネットワーク監視装置３００に送信することとしてもよい。また、伝送装置内のループ試験結果（自己診断の結果に対応）と、伝送装置間等の回線試験の結果とは、伝送装置１００等が自ら行う故障診断の情報であるので、いわば自己診断情報であるといえる。
【００９３】
（ステップＳ２ｂ）
ネットワーク監視装置３００は、伝送装置１００と伝送装置２００とから送信された上述の自己診断情報等を受信する。
【００９４】
（ステップＳ２ｃ）
ネットワーク監視装置３００の故障箇所推定部３１１は、故障箇所推定プログラム記憶部３２１に記録される故障箇所推定プログラムに基づいて、受信した上述の自己診断情報等から故障箇所を推定する。
【００９５】
ネットワーク監視装置３００は、伝送装置１００等に蓄積された伝送装置自体の装置状態を示す情報と、光通信の回線状態を示す情報と、自己診断の結果と、装置間の回線試験の結果との情報から複合的にフレキシブルに故障箇所を推定することができる。また、故障箇所は、一カ所に限られるものではない。
【００９６】
また、故障箇所推定部３１１が推定するのは故障箇所のみに限られず、故障原因や故障の深刻度、再発頻度等であってもよい。故障箇所推定部３１１が、できるだけ複合的かつ多面的に様々な故障関連事項を推定演算することにより、後のステップにおいてより多面的かつ複合的に、必要な対応や故障解決方法を導出することができるので好ましい。
【００９７】
（ステップＳ２ｄ）
ステップＳ２ｃで故障箇所推定部３１１が推定した故障箇所に対応する故障解決方法を、ネットワーク監視装置３００の読み出し部３１２が故障解決方法記憶部３２３から読み出す。故障解決方法記憶部３２３には予め、故障箇所との対応関係において可能性の高い故障原因とその復旧方法とを記憶させているものとする。
【００９８】
なお、故障解決方法記憶部３２３が記憶するのは、故障解決方法に限られず、故障に付随してオペレータに通知することが好ましいお勧め情報やお勧め対応策、さらにはアップグレード情報等とすることが好ましい。
【００９９】
例えば、オペレータが、予算と時間との関係で、取り急ぎの故障復旧で済ませる事とするのか、抜本的な故障解決とする復旧作業をする事とするのか等を選択できることとすることが好ましい。これにより、オペレータや顧客等の事情に応じた適切な対応とできる。
【０１００】
（ステップＳ２ｅ）
ネットワーク監視装置３００は、表示部３２４にステップＳ２ｄで読み出した故障解決方法を、オペレータに視認できるように表示する。ここで、表示部３２４は、例えばステップＳ２ｃで推定した故障箇所について、自己診断情報等から確からしさの推定確率を算出し、例えば確率の高い順から順に第三位までの故障箇所とその故障解決方法を表示してもよい。
【０１０１】
これにより、仮に故障箇所推定部３１１が、複数の故障箇所や複数の故障原因等の可能性を算出し、推定した場合においても、オペレータはより確からしい順に対応すればよいので、迅速かつ妥当な故障復旧対応を実現できる。
【０１０２】
このため、伝送装置１００等に何らかの異常が発生した際には、ネットワーク通信システム１０００は、速やかに自己診断情報等を収集し、故障箇所を推定することができる。また、推定した故障箇所に対応する有力な確からしい故障解決方法を速やかに知ることができる。このためオペレータは、煩瑣な検査作業や確認作業に煩わされることはなく、迅速かつ的確な通信障害復旧作業を行うことができる。
【０１０３】
次に、図８乃至図１０を用いて、回線監視部１１０で測定する光通信の特性の典型例について説明する。なお、以下の説明においては、主として第一の実施形態と相違する部分について詳細に説明することとし、同じ構成や動作となる部分については説明を省略するか簡略に行うこととする。
【０１０４】
（第二の実施形態）
図８は、伝送装置１００の回線監視部１１０がエラーチェック部１１１を備えるブロック概念図を示す図である。図８に示すように、伝送装置１００は、エラーチェック部１１１のエラー発生率演算部１１２で、伝送路１０１，１０２，２０１，２０２を介する光通信による伝送情報のうち、エラービットが含まれる割合を算出する。
【０１０５】
また、エラー発生率演算部１１２で算出したエラービットが含まれる割合は、監視制御部１１４にて、監視制御部１１４が備えるエラー発生率閾値記憶部８０２の閾値と、エラー発生率比較部８０１で比較される。
【０１０６】
エラー発生率比較部８０１での比較により、エラー発生率演算部１１２で算出したエラービットが含まれる割合の方が、予め設定されるエラー発生率閾値より大きければ、伝送装置１００は、ＬＥＤ表示部１３０に異常表示を表示させる。また、エラー発生率演算部１１２で算出したエラービットが含まれる割合の方が、予め設定されるエラー発生率閾値より大きければ、伝送装置１００は、ネットワーク監視装置３００に異常の発生を検出した事を通知する。
【０１０７】
また、エラー発生率演算部１１２は、伝送装置１００で中継して伝送する全ての光通信について、常にエラーの発生率を監視し、いわば通信品質をモニターすることが、より信頼性の高い高品質な通信を実現する上で好ましい。
【０１０８】
さらに、エラー発生率演算部１１２で演算するエラー発生率について、伝送装置１００は、典型的には全て記憶部１１５に記録しておく事が好ましい。これにより、伝送装置１００に通信障害等の異常が生じた場合には、ネットワーク監視装置３００が、記憶部１１５に記録された監視情報等に基づき、より的確な故障箇所推定等の判断をすることが可能となる。
【０１０９】
ここで、エラー発生率演算部１１２で演算するエラー発生率や監視制御部１１４で行う異常閾値判断等は、伝送装置１００が有するいわゆるパフォーマンスモニタ機能を用いるものであってもよい。パフォーマンスモニタ機能は、伝送装置が受信したフレームが異常フレームであるか否かを確認し、受信フレーム数と、受信フレーム数の中に含まれる異常フレーム数とをカウントする事により、エラーフレーム率を測定する機能である。
【０１１０】
また、エラーチェック部１１１は、通信規格で一般的に用いられている異常フレーム検出方法（誤り検出方法）等を用いて異常フレームの確認と検出を実現できる。例えば、通信規格としてＥｔｈｅｒｎｅｔ（登録商標）を用いる場合には、エラーチェック部１１１は、ＭＡＣフレームに含まれるＦＣＳフィールドのチェックを行うことで、異常フレームの判定を行うことができる。
【０１１１】
また、符号化を用いて伝送可能な通信規格を用いる場合には、フレーム受信時に符号誤りを検出する事により、エラーチェック部１１１は異常フレームの判定を行うことができる。符号化を用いる伝送とは、８Ｂ／１０Ｂ符号化としては、例えばギガビットイーサネット（登録商標）、１０ギガビットイーサネットなどである。また、６４Ｂ／６６Ｂ符号化としては、例えば１０ギガビットイーサネットである。
【０１１２】
また、パフォーマンスモニタ機能は、ネットワーク通信システム１０００の稼働中は、常に機能している事が好ましく、一定時間ごとに受信フレームと異常フレームとのカウント数を確認し、その一定時間において、エラー率が一定値を超えていれば異常（エラー）と判定する。
【０１１３】
また、パフォーマンスモニタ機能を用いると、例えば１５分間でのエラー率が１０の−７乗以上と測定された場合に、エラー判定を出力する伝送装置１００とすることができる。このように、エラー発生率閾値記憶部８０２に記憶するエラー発生率閾値を低めに設定すると、例えば深刻かつ重大な故障が発生する前に、エラー発生率がまだ十分に小さい段階で、故障の発生を予測し、事前に故障発生防止対策を講じることも可能となるので好ましい。
【０１１４】
（第三の実施形態）
また、図９は、伝送装置１００の回線監視部１１０がエラー訂正部９１１１を備えるブロック概念図を示す図である。図９に示すように、伝送装置１００は、エラー訂正部９１１１のエラー訂正率演算部９１１２で、伝送路１０１，１０２，２０１，２０２を介する光通信による伝送情報のうち、エラー訂正ビットが含まれる割合を算出する。
【０１１５】
また、エラー訂正率演算部９１１２で算出したエラー訂正ビットが含まれる割合は、監視制御部１１４にて、監視制御部１１４が備えるエラー訂正率閾値記憶部９０２の閾値と、エラー訂正率比較部９０１で比較される。
【０１１６】
エラー訂正率比較部９０１での比較により、エラー訂正率演算部９１１２で算出したエラー訂正ビットが含まれる割合の方が、予め設定されるエラー訂正率閾値より大きければ、伝送装置１００は、ＬＥＤ表示部１３０に異常表示を表示させる。また、エラー訂正率演算部９１１２で算出したエラー訂正ビットが含まれる割合の方が、予め設定されるエラー訂正率閾値より大きければ、伝送装置１００は、ネットワーク監視装置３００に異常の発生を検出した事を通知する。
【０１１７】
また、エラー訂正率演算部９１１２は、伝送装置１００で中継して伝送する全ての光通信について、常にエラーの訂正率を監視し、いわば通信品質をモニターすることが、より信頼性の高い高品質な通信を実現する上で好ましい。
【０１１８】
さらに、エラー訂正率演算部９１１２で演算するエラー訂正率について、伝送装置１００は、典型的には全て記憶部１１５に記録しておく事が好ましい。これにより、伝送装置１００に通信障害等の異常が生じた場合には、ネットワーク監視装置３００が、記憶部１１５に記録された監視情報等に基づき、より的確な故障箇所推定等の判断をすることが可能となる。
【０１１９】
ここで、エラー訂正部９１１１が行うエラー訂正等は、上述したパフォーマンスモニタ機能を用いるものであってもよい。パフォーマンスモニタ機能を用いると、伝送装置１００は、フレームを受信する受信部１０３，１０５において、受信したフレームをエラー訂正が可能な範囲で、エラー訂正を実行できる。また、パフォーマンスモニタ機能を用いると、エラー訂正した後に、上述の異常フレームのチェックを実行できる。
【０１２０】
また、パフォーマンスモニタ機能を用いると伝送装置１００は、仮に受信部１０３で受信したフレームについて、異常フレーム数が閾値より大きい場合には、対向装置４００と伝送路１０１とを故障箇所と推定する。すなわち、この場合にはネットワーク監視装置３００の故障箇所推定部３１１の機能の一部を、伝送装置１００側で担うことが可能となる。
【０１２１】
また、パフォーマンスモニタ機能を用いると伝送装置１００は、仮に受信部１０５で受信したフレームについて、異常フレーム数が閾値より大きい場合には、伝送装置２００と伝送路２０２とを故障箇所と推定する。すなわち、この場合にはネットワーク監視装置３００の故障箇所推定部３１１の機能の一部を、伝送装置１００側で担うことが可能となる。
【０１２２】
また、パフォーマンスモニタ機能を用いると伝送装置２００は、仮に受信部２０３で受信したフレームについて、異常フレーム数が閾値より大きい場合には、伝送装置１００と伝送路２０１とを故障箇所と推定する。すなわち、この場合にはネットワーク監視装置３００の故障箇所推定部３１１の機能の一部を、伝送装置２００側で担うことが可能となる。
【０１２３】
また、パフォーマンスモニタ機能を用いると伝送装置２００は、仮に受信部２０５で受信したフレームについて、異常フレーム数が閾値より大きい場合には、対向装置５００と伝送路５０２とを故障箇所と推定する。すなわち、この場合にはネットワーク監視装置３００の故障箇所推定部３１１の機能の一部を、伝送装置２００側で担うことが可能となる。
【０１２４】
パフォーマンスモニタ機能を用いると、例えば１５分間でのエラー訂正率が１０の−６乗以上となった場合に、エラー判定を出力する伝送装置１００とすることができる。このように、エラー訂正率閾値記憶部９０２に記憶するエラー訂正率閾値を低めに設定すると、例えば深刻かつ重大な故障が発生する前に、エラー訂正率がまだ十分に小さい段階で、故障の発生を予測し、事前に故障発生防止対策を講じることも可能となるので好ましい。
【０１２５】
（第四の実施形態）
また、図１０は、回線監視部１１０が、光パワー測定部１１３を備え、伝送装置１００で中継伝送する光通信の入力光及び出力光について光強度をモニターし、監視する例を示す図である。
【０１２６】
光パワー測定部１１３は、伝送路１０１又は伝送路２０２から伝送された入力光強度や、伝送路２０１又は伝送路１０２に伝送する出力光強度を測定する。光パワー測定部１１３で測定した光強度は、監視制御部１１４が備える光パワー比較部１００１で、光パワー閾値記憶部１００２が記憶する光パワー閾値と比較される。
【０１２７】
そして、光パワー比較部１００１で比較した結果、光パワー測定部１１３で測定した光強度の方が小さければ、回線監視部１１０は異常を検出したとして、伝送装置１００が備えるＬＥＤ表示部１３０に異常を検出した事を表示する。また、光パワー比較部１００１で比較した結果、光パワー測定部１１３で測定した光強度の方が小さければ、伝送装置１００は、ネットワーク監視装置３００に、異常を検出したことを通報する。
【０１２８】
ここで、光パワー閾値記憶部１００２が記憶する光パワー閾値は、送信側においては１０００ＢＡＳＥーＳＸの場合には例えば、ー９．５ｄＢｍ未満になったときとできる。また、光パワー閾値記憶部１００２が記憶する光パワー閾値は、受信側においては１０００ＢＡＳＥーＳＸの場合には例えば、ー１７．０ｄＢｍ未満になったときとできる。
【０１２９】
光パワー閾値記憶部１００２は、上述するように正常範囲として許容される下限値を通常値（たとえばティピカル値）からの下限閾値として記憶しておいてもよい。
【０１３０】
また、光パワー閾値記憶部１００２が記憶する光パワー閾値は、送信側においては１０００ＢＡＳＥーＳＸの場合には例えば、ー７．５ｄＢｍ未満になったときとできる。また、光パワー閾値記憶部１００２が記憶する光パワー閾値は、受信側においては１０００ＢＡＳＥーＳＸの場合には例えば、ー１５．０ｄＢｍ未満になったときとできる。
【０１３１】
このように、光パワー閾値記憶部１００２は、やや狭い許容範囲を設定することにより、重大かつ深刻な故障が発生する兆候を未然に検出することができる。これにより、早期に異常発生の傾向を、ネットワーク監視装置３００に通知し、またＬＥＤ表示部１３０に表示することができるので、故障の発生を未然に防止する事も可能な伝送装置１００とできる。
【０１３２】
また、本発明にいうエラー率とは、ビットエラー発生率とフレームエラー発生率とエラー訂正率とを含む概念であり、通信データのうちエラーの割合を示す指標であれば足りる。
【０１３３】
本実施形態で例示する伝送装置１００等とネットワーク監視装置３００及びネットワーク通信システム１０００は、自明な範囲でその構成と動作及び処理を適宜変更することができる。
【図面の簡単な説明】
【０１３４】
【図１】本実施形態のネットワーク通信システムを示す概念ブロック図である。
【図２】ネットワーク通信システムの動作処理の概要を示すフロー図である。
【図３】回線監視部が、伝送装置で中継する光情報について監視する様子を概念的に示すブロック図である。
【図４】光情報をエラーチェック部でエラーチェックして伝送するブロック概念図である。
【図５】伝送装置内部のループ試験を概念的に説明するブロック図である。
【図６】伝送装置間の試験動作を説明するブロック概念図である。
【図７】伝送装置間等における入出力光強度の測定を概念的に示す図である。
【図８】伝送装置の回線監視部がエラーチェック部を備えるブロック概念図を示す図である。
【図９】伝送装置の回線監視部がエラー訂正部を備えるブロック概念図を示す図である。
【図１０】光通信の入出力光について光強度をモニターする例を示す図である。
【符号の説明】
【０１３５】
１００・・伝送装置、１０１・・伝送路、１０２・・伝送路、１０３・・受信部、１０４・・送信部、１０５・・受信部、１０６・・送信部、１１０・・回線監視部、１１１・・エラーチェック部、１１２・・エラー発生率演算部、１１３・・光パワー測定部、１１４・・監視制御部、１１５・・記憶部、１２０・・回線試験部、１２１・・試験フレーム生成部、１２２・・ワンウェイ試験部、１２４・・装置内ループ試験部、１２５・・装置間ループ試験部、１２６・・試験フレーム検出部、１２７・・試験結果判定部、１３０・・ＬＥＤ表示部、２００・・伝送装置、２０１・・伝送路、２０２・・伝送路、２０３・・受信部、２０４・・送信部、２０５・・受信部、２０６・・送信部、２１０・・回線監視部、２１１・・エラーチェック部、２１２・・エラー発生率演算部、２１３・・光パワー測定部、２１４・・監視制御部、２１５・・記憶部、２２０・・回線試験部、２２１・・試験フレーム生成部、２２２・・ワンウェイ試験部、２２４・・装置内ループ試験部、２２５・・装置間ループ試験部、２２６・・試験フレーム検出部、２２７・・試験結果判定部、３００・・ネットワーク監視装置。
【図１】
2009253475.tif 000003
【図２】
2009253475.tif 000004
【図３】
2009253475.tif 000005
【図４】
2009253475.tif 000006
【図５】
2009253475.tif 000007
【図６】
2009253475.tif 000008
【図７】
2009253475.tif 000009
【図８】
2009253475.tif 000010
【図９】
2009253475.tif 000011
【図１０】
2009253475.tif 000012